(57)【特許請求の範囲】
【請求項１】
ｋ＞１であるｋ個のアドレス要素（Ａ）のセットのためのメモリ（ＳＶＡ）を備えた通信機器へサーバのアドレスを割当てる、前記通信機器において実行される方法であって、
前記通信機器のユーザにとって見えることなく前記ｋ個のアドレス要素（Ａ）のセットから前記サーバの第１のアドレス識別子の選択を行う工程（３１０；４３０；５７０）と、
前記通信機器に前記サーバの選択されたアドレス識別子を格納する工程（３３０；４６０；５９０）とを有し、
前記ｋ個のアドレス要素のセットは１＜ｎ≦ｋであるｎ個の異なるアドレス識別子を含み、前記異なるアドレス識別子は夫々の場合に、０＜ｍ≦ｎであるｍ個のサーバのセットからサーバを識別することを特徴とする方法。
【請求項２】
前記選択を行う工程（３１０；４３０；５７０）は、
メモリ（Ｂ，Ｆ）から第２のアドレス識別子を読み出す工程（４１０；５１０）と、
前記第１及び第２のアドレス識別子を結合する工程（４５０；５８０）とを有し、
前記第１と第２のアドレス識別子の結合された識別子を前記サーバの前記選択されたアドレス識別子として形成することを特徴とする請求項１に記載の方法。
【請求項３】
前記サーバのアドレスは、ＩＰアドレスであることを特徴とする請求項２に記載の方法。
【請求項４】
前記第１のアドレス識別子は、前記サーバの前記ＩＰアドレスのホスト識別子であり、
前記サーバの前記アドレスの前記第２のアドレス識別子は、前記ＩＰアドレスのネットワーク識別子であることを特徴とする請求項３に記載の方法。
【請求項５】
前記サーバの前記ＩＰアドレスは、クラスＣフォーマットのＩＰｖ４アドレスであることを特徴とする請求項３又は４に記載の方法。
【請求項６】
前記ｋ個のアドレス要素（Ａ）のセットからの前記第１のアドレス識別子の選択（３１０；４３０；５７０）はランダム関数によって実行されることを特徴とする請求項１乃至５のいずれかに記載の方法。
【請求項７】
前記第１のアドレス識別子の選択（３１０；４３０；５７０）は、前記通信機器の数値の識別子を前記ｋ個のアドレス要素の数によって割り算をした余りを計算することにより選択されることを特徴とする請求項１乃至５のいずれかに記載の方法。
【請求項８】
前記格納された選択されたアドレス識別子は英数字のテキストに存在することを特徴とする請求項１に記載の方法。
【請求項９】
前記通信機器は、前記ｋ個のアドレス要素の少なくとも１つの更新されたアドレス要素を受信する工程と、
前記通信機器は、前記更新されたアドレス要素を格納する工程とをさらに有することを特徴とする請求項１乃至８のいずれかに記載の方法。
【請求項１０】
前記通信機器は、更新された第２のアドレス識別子を受信する工程と、
前記通信機器は、前記更新された第２のアドレス識別子を格納する工程とをさらに有することを特徴とする請求項１乃至９のいずれかに記載の方法。
【請求項１１】
前記通信機器は、アドレスサーバ（ＤＮＳ）の更新を要求する工程をさらに有することを特徴とする請求項９又は１０のいずれかに記載の方法。
【請求項１２】
データサービスが要求されるサーバのアドレスを割当てる通信機器（ＭＳ）であって、
ｋ＞１であるｋ個のアドレス要素のセットのためのメモリ（ＳＶＡ）と、
前記通信機器（ＭＳ）のユーザには見えることなく、前記ｋ個のアドレス要素から第１のアドレス識別子を選択できる選択ユニット（ＡＷＥ）と、
前記サーバの前記選択されたアドレス識別子のためのメモリ（ＳＡＡ）とを有し、
前記ｋ個のアドレス要素のセットは、１＜ｎ≦ｋであるｎ個の異なるアドレス識別子を含み、前記異なるアドレス識別子は夫々の場合に０＜ｍ≦ｎであるｍ個のサーバのセットからサーバを識別することを特徴とする通信機器（ＭＳ）。
【請求項１３】
第２のアドレス識別子のためのメモリ（ＳＦＡ）と、
前記メモリ（ＳＦＡ）から前記第２のアドレス識別子を読み出しできる読み出しユニット（ＡＬＥ）と、
前記第１及び第２のアドレス識別子を結合する結合ユニット（ＫＥ）とをさらに有し、
前記第１及び第２のアドレス識別子とが結合された識別子を、前記サーバの前記選択されたアドレス識別子として形成することを特徴とする請求項１２に記載の通信機器（ＭＳ）。
【請求項１４】
前記選択ユニット（ＡＷＥ）は、前記第１のアドレス識別子のランダムな選択を実行することを特徴とする請求項１２又は１３に記載の通信機器（ＭＳ）。
【請求項１５】
前記通信機器の数値での通信機器識別子のためのメモリと、前記メモリから前記通信機器識別子を読み出すことができる第２の読み出しユニットとをさらに有し、
前記第１のアドレス識別子の選択は、前記通信機器識別子をｋ個のアドレス要素の数で割り算をした余りを計算することにより前記選択ユニットによって実行されることを特徴とする請求項１２乃至１４のいずれかに記載の通信機器（ＭＳ）。
【請求項１６】
前記ｋ個のアドレス要素の内、少なくとも１つの更新されたアドレス要素の受信が可能な受信機器と、
前記更新されたアドレス要素の格納が可能な格納機器とをさらに有することを特徴とする請求項１２乃至１５のいずれか１つに記載の通信機器（ＭＳ）。
【請求項１７】
更新された第２のアドレス識別子の受信が可能な受信機器と、
前記更新された第２のアドレス識別子の格納を可能にする第２の格納機器とをさらに有することを特徴とする請求項１３乃至１６のいずれか１つに記載の通信機器（ＭＳ）。
【請求項１８】
アドレスサーバ（ＤＮＳ）の更新要求が可能な要求機器を有することを特徴とする請求項１６或いは１７に記載の通信機器（ＭＳ）。
【請求項１９】
１つのユーザ動作により前記サーバの前記データサービスを要求する入力を可能にするユーザインタフェースと、
前記データサービスについての要求が入力されたとき、前記選択されたアドレス識別子による前記サーバからの前記データサービスを要求するデータサービス要求機器とをさらに有することを特徴とする請求項１２乃至１８のいずれかに記載の通信機器（ＭＳ）。
【請求項２０】
通信システム（ＫＳ）であって、
データサービスを提供し、異なるアドレス識別子がｎ＞１かつｎ≧ｍである数字ｎによって識別され、ｍ＞０であるｍ個のサーバ（ＡＳ１，ＡＳ２，ＡＳ３，ＡＳ４）と、
データパケットを送受信可能な少なくとも１つの基地局（ＲＢＳ）と、
前記通信システム（ＫＳ）のサーバ（ＡＳ１，ＡＳ２，ＡＳ３，ＡＳ４）と基地局（ＲＢＳ）とを接続するパケットデータネットワーク（ＰＮ）と、
各々が前記通信システム（ＫＳ）の少なくとも１つの基地局（ＲＢＳ）とのパケットデータ通信が可能であり、各々が前記サーバからのデータサービスを要求するために請求項１乃至８のいずれかに記載の方法に従って割当てられるサーバのアドレスによって適合されることが可能な複数の通信端末（ＭＳ）とを有することを特徴とする通信システム（ＫＳ）。
【請求項２１】
更新のために、前記通信システム（ＫＳ）の通信端末（ＭＳ）に前記通信システム（ＫＳ）のサーバ（ＡＳ１，ＡＳ２，ＡＳ３，ＡＳ４）のアドレス識別子を送信する少なくとも１つのアドレスサーバ（ＤＮＳ）をさらに有し、
前記通信端末（ＭＳ）は請求項９乃至１１に記載の方法を実行するのに適合されていることを特徴とする請求項２０に記載の通信システム（ＫＳ）。
【請求項２２】
デジタル・コンピュータ・ユニットの内部メモリにロードされ、前記コンピュータ・ユニットで実行されるなら、請求項１乃至１１のいずれかに記載の工程を実行するために適合されたソフトウェア・コード部を有することを特徴とするコンピュータプログラム。
【請求項２３】
前記コンピュータプログラムはコンピュータ可読媒体に格納されることを特徴とする請求項２２に記載のコンピュータプログラム。
【発明の詳細な説明】
【０００１】
発明の技術分野
本発明はデータ通信の分野に基づいており、サーバアドレスに通信機器を割当てる方法、割当てられたサーバアドレスによるデータサービスを要求する通信機器とともに通信システムに関し、サーバベースのデータサービスが割当てられたサーバアドレスにより通信端末によって要求される。
【０００２】
発明の背景
特に、データ端末として用いられる移動電話のような通信端末によるデータサービスに対するカスタマの要求が増大するので、通信ネットワーク運用者は、自分のカスタマのインターネットアクセスや自分自身のデータサービスを、パケットデータネットワーク（ＩＰ）を運用している自分自身のネットワークに接続された所謂アプリケーションサーバによって、より頻繁に提供するように導かれている。そのようなアプリケーションサーバは、例えば、最新のニュース、サッカーの結果、交通情報、或いは市場価格などを提供している。そのようなサービスに対する例には、ＮＴＴドコモからのｉ−ＭＯＤＥ（商標）サービス、デジタルフォングループによるスカイウォーカ（商標）或いはスカイウェブ（商標）がある。
【０００３】
データサービスプロバイダによって販売され、そのような特別なデータサービスを提供する移動電話のような通信端末がある。そのコールアップのために、前記機器はしばしば簡単なユーザインタフェース、例えば、キーボード上にセパレートキーを備えており、これによって、例えば、交通情報サービスのようなサービスを要求することができる。それ故、もしユーザがキーを押下することで交通情報サービスを要求するなら、移動電話はサービス要求を送信する。前記サービス要求の受信者は対応するアプリケーションサーバであり、それは所謂インターネットプロトコルアドレスによって識別され、これ以後ＩＰアドレスと呼ぶ。そのデータサービスが移動電話によってコールアップされる前記アプリケーションサーバのＩＰアドレスはそれ故に変更不可能にその機器の読み出し専用メモリに格納される。或いは、そのＩＰアドレスはユーザによって入力され格納されても良い。
【０００４】
データサービスに対する要求が増大すると、アプリケーションサーバの処理能力を枯渇させてしまう可能性がある。この場合、サービスプロバイダはこのサービスのために付加的なアプリケーションサービスを備え付けてその要求を満足させる。前記付加的なアプリケーションサーバは、異なる物理的なサーバが同じＩＰアドレスをもつべきではないので、別のＩＰアドレスによって識別される。
【０００５】
付加的に備え付けられたアプリケーションサーバが負荷分散の手段としてうまく機能することができるために、ハードウェアの変更、即ち、対応するメモリチップの交換が固定的に格納されたＩＰアドレスをもつ出回っている通信端末の部分に対して必要とされる。或いは、その生産が変更され、新しいエディションとして付加的なアプリケーションサーバのＩＰアドレスを含む端末だけが生産される。これらの代替案の両方ともそれほど柔軟性があるわけではなく、出費と部分的には高度な論理的な仕事が関係する。同じことはＩＰアドレスが入力されユーザによって格納される端末の場合には当てはまる。変更されたＩＰアドレスについて一部のユーザに通知する仕事の他に、負荷分散手段の効率に関して不安がある。各ユーザは、その人にしてみれば依然として所望のデータサービスを提供する以前に知らされたＩＰアドレスの下でアプリケーションサーバに到達できるであろうから、ＩＰアドレスの変更をせざるを得ない訳ではない。
【０００６】
データトラフィックの負荷をいくつかのサーバに分散するための既知の解決策は所謂ＬＳＮＡＴ方法によって提案されており、その方法は、Ｐ．スリシュレス（P. Srisuresh）とＤ．ガン（D. Gan）によるＲＦＣ２３９１“ＩＰアドレスネットワーク変換を用いた負荷分散（ＬＳＮＡＴ）（Load Sharing using IP Network Address Translation）”に説明されており、それはＩＥＴＦによって公開されている。この方法では、サーバの１つのＩＰアドレスに向けられたパケットデータの流れは多くのサーバに分散される。その分散は、所謂リースト・ロード・ファースト・アルゴリズム（Least Load First Algorithm）や所謂ウェイテッド・リースト・トラフィック・アルゴリズム（Weighted Least Traffic First Alogorithm）などのリアルタイム負荷分散アルゴリズムの助けをかりて所謂ＬＳＮＡＴルータによってセション指向で発生する。このため、ネットワークアドレス変換器ＮＡＴはデータグラム、即ち、アドレスとルート情報を含むデータパケットのＩＰアドレスを変換する。
【０００７】
前記負荷分散方法を用いることについて、特別なルータ、所謂ＬＳＮＡＴルータが通信ネットワークには必要とされ、それはさらなるコストの原因となる。さらにその上、セションの全データパケットは同じＬＳＮＡＴルータによって転送されることが保証されなければならず、これは現存するネットワークアーキテクチュアによってはかなりの作業を意味する。最後に、適用される負荷分散アルゴリズムがシステムの、特に、数多くのサーバを含むシステムではボトルネックの原因にもなる。
【０００８】
１つの代替案は、例えば、“3.1.226.64”といったＩＰアドレスの代わりに、例えば、“www.anwendungsserver.de”といったアプリケーションサーバのシンボル的なアドレス識別子を用いることである。これらシンボル的なアドレス識別子は、データサービスにコールアップする前に所謂ＤＮＳサーバ要求によって分析されねばならない。通信システムのサーバの負荷状態を考慮することにより、ＤＮＳサーバは、そのシンボル的なアドレス識別子が分析されたときに、負荷分散を受け持つことができる。しかしながら、システムのボトルネックはこの解決策によっても取り除かれず、アプリケーションサーバからＤＮＳサーバにそれが移行しただけである。この場合も、ＤＮＳサーバにコールアップすることに関して、端末はそのＩＰアドレスを必要とする。データサービスの高い要求がある場合には、ＤＮＳサーバ要求の数は増大し、ＤＮＳサーバは高負荷となる。
【０００９】
上述のように、サーバ指向型データサービスの能力拡大はより多くのサーバの付加を必要とする。前記サーバの新しいＩＰアドレスのため、これが導入されるのは避けられないのであるが、負荷を分散する手段は必要である。負荷分散のための既知の方法では、サービスプロバイダやネットワーク運用者による付加的な仕事、例えば、ネットワーク側での特別なルータのアプリケーション、製造者による端末ハードウェアの変更、或いは、各ユーザによる端末ソフトウェアの変更などを必要とする。
【００１０】
発  明  の  要  約
それに従えば、本発明は、サーバアドレスを割当てる方法と、割当て機器をもった通信機器とともに、サーバと通信端末とをもった通信システムとを提供し、その通信システムのより簡単なスケーラビリティがサーバから見て保証されることを目的としている。
【００１１】
本発明に従えば、前記の目的は独立請求項１、１２、２０、及び２０に記載した発明から教示されることによって達成される。
【００１２】
サーバアドレスを通信機器に割当てるために、アドレス要素はｋ＞１であるｋ個のアドレス要素のセットから選択され、例えば、通信端末のような通信機器に格納される。前記アドレス要素は、サーバのデータサービスコールアップの直接アドレシングのためのサーバアドレスとして利用可能である。都合の良いことに、付加的なＤＮＳサーバ要求は必要ではなく、通信システムにおけるＤＮＳサーバが不要となる。さらにその上、データ伝送の資源が節約され、それは、特に、データパケットを送受信できる少なくとも１つの基地局を有し、パケットデータネットワークによりシステムのサーバに接続されるセルラ移動サービスシステムにおいて、小さな資源である空中インタフェースのバンド幅の観点からは利点がある。さらに、通信端末におけるアプリケーションサーバのアドレスを直接的に利用可能であることはトータルな通信システムの性能、特に、サービス要求時の短時間での応答という観点からは積極的な影響をもたらす。
【００１３】
サーバのアドレスは基本的にはパケットデータネットワークでは異なるサーバに２度与えられるべきではない。しかしながら、複数の異なるＩＰアドレスを１つのサーバに割当てることはできる。本発明に従えば、１つのアドレス要素が選択されるｋ個のアドレス要素のセットは、１＜ｎ≦ｋであるｎ個の異なるアドレス識別子を含み、それは、０＜ｍ≦ｎであるｍ個のサーバを指定する。これにより、アドレス要素として選択される各アドレス識別子によって、サーバは正しい身元確認をもつので、サーバ側での通信システムの単純で柔軟なスケーラビリティが可能になる。１個のサーバから最大数多くのサーバに至るまでのサーバはセットｋからのｎ個の異なるアドレス識別子に対応しており、そのシステムの拡張ステップは付加的な手段を必要とせずに通信端末によってサポートされる。
【００１４】
本発明に従う方法によって、通信システムの複数の通信端末にそれが適用されるとき、アドレス要素の各選択、或いは、各サーバのアドレス識別子により、もし、２個以上のサーバがｎ個のアドレス識別子によって指定されるなら、システムのサーバ指向データサービスの観点からすれば、負荷分散が可能になる。その種の負荷分散は用いられる選択過程に依存しており、その過程は都合の良いことに、例えば、ネットワーク運用者或いはデータサービスプロバイダによって予め規定される。それ故に、本発明に従う方法は、固定的な選択過程が規定されないので、異なる負荷プロファイル要求のために用いられる。
【００１５】
ｋ個のアドレス要素のセットはまた同じアドレス識別子を何回も含むことができる。これによって都合の良いことにアドレス識別子の重み付けが可能になり、これにより負荷分散をサポートする。システムの他のサーバのプロセッサよりも高い性能をもつプロセッサをもったサーバを識別するアドレス識別子が、アドレス要素のセットに何回も含まれて良い。その時、用いられる選択方法に依存して、前記アドレス識別子は、アドレス要素のセットにたった一度だけ含まれるアドレス識別子よりも選択される確率がより高くなる。アドレス識別子の対応する重み付けを前もって規定することにより、ネットワーク運用者或いはデータサービスプロバイダは負荷分散に影響を及ぼすことができる。
【００１６】
アドレス識別子の選択は通信端末のユーザにはトランスペアレントな形で発生する。言い換えると、ユーザはその選択に気づかない。そのことはユーザがどんな構成作業も実行する必要がないので、ユーザにとって便利である。
【００１７】
本発明に従う基本的な方法は柔軟な形で適用される。それは、ｋ個のアドレス要素のためのメモリと、アドレス識別子を選択するための選択ユニットと、例えば、通信システムにおける各アプリケーションを伴う選択されたアドレス識別子のためのメモリとを有している通信端末において実行される。言い換えると、その通信機器にスイッチを入れるたび毎に、或いはデータサービスが要求されるたび毎に実行される。また、端末製造中での使用も可能性があり、その選択されたアドレス識別子がその製造中に端末に格納される。
【００１８】
本発明はコンピュータプログラムの形でもうまく具体化される。これによって、通信端末における本発明の使用がハードウェアの変更の必要なく可能になる。さらにその上、そのコンピュータプログラムにより製造開発中のテストやシミレーションを容易にまた安価なものにできる。
【００１９】
さらに本発明の有益な実施形態や改良については、従属請求項に開示されている。
【００２０】
有益な実施形態において、前記選択を行う工程はさらに、第２のアドレス識別子を読み出し、第１と第２のアドレス識別子を結合して、選択されたアドレス識別子を形成する工程を有する。従って、サーバを識別する完全なアドレス識別子は、固定部、即ち、メモリに固定的に前もって規定された第２のアドレス識別子と、変数部、即ち、ｋ個のアドレス要素のセットから選択された第１のアドレス識別子とから成る。従って、通信端末に要求されるアドレス識別子についてのメモリ空間はうまく最小化される。
【００２１】
別の有益な実施形態において、サーバのアドレスは、ＩＰアドレスである。これにより、商業的に広まった通信システムにおけるデータ通信プロトコルとルータの使用と共にインターネットにおけるアプリケーションサーバの簡単な装着が可能になる。
【００２２】
付加的な利点のある実施形態において、第１のアドレス識別子はホスト識別子であり、第２のアドレス識別子は、サーバのＩＰアドレスのネットワーク識別子である。そのような所謂ＩＰｖ４のアドレスフォーマットの構造を利用することによって、ＩＰアドレスを固定部と変数部とに容易に分割することが可能になり、これによって、対応する運用者による通信ネットワークのサーバのＩＰアドレスの管理を単純化している。
【００２３】
特に、ＩＰｖ４アドレスのクラスＣフォーマットを用いることは、このアドレスフォーマットにおける利用可能なホスト識別子の数が２５６であるので、利点があり、それはサーバのスケラビリティの観点からたいていのデータサービスプロバイダ或いはネットワーク運用者の要求に合致している。
【００２４】
本発明の有益な実施形態は、ランダム関数によって第１のアドレス識別子の選択を行なうことを提案している。これにより、通信システムに属する複数の通信端末がサーバによるデータサービス要求の負荷分散を容易に具体化することを可能にしており、その要求は統計的にはランダムな選択によりｋ個の全てのアドレス要素にわたって発生するように、従ってサーバの全ての選択されたアドレス識別子に等しく分散される。
【００２５】
本発明の付加的な利点のある実施形態は通信機器において存在する個々の数値の識別子を利用する。その選択は単純なモジュロ計算によってなされる。通信システムに含まれる複数の端末についての前記選択方法の結果得られる負荷のプロファイル、或いは言い換えると、サーバへの負荷分散は発行された識別子に依存する。特に、もし使用された個々の識別子が端末の所謂ＳＩＭカードに格納されるのなら、ネットワーク運用者或いはサービスプロバイダは、端末の製造者に依存することなく、ユーザに発行されたＳＩＭカードの選択による単純な方法で負荷分散に影響を及ぼすことができる。
【００２６】
さらにその上、もし、その選択格納されたアドレス識別子が英数字の普通のテキストにあるなら、例えば、所謂サーバのＩＰアドレスのシンボル的な記述を用いることによって有益である。この場合、たとえ、ＤＮＳサーバの要求がサーバをアドレスするのに必要であったとしても、サーバのＩＰアドレスが端末に対してはトランスペアレントであるので、通信システムのサーバのスケーリングはかなりの程度柔軟性があり、これにより、ＤＮＳサーバの対応する割当て表の単純な変更により変更される。
【００２７】
さらにその上、ｋ個の要素のセットからのアドレス要素、或いは第２の、即ち、固定アドレス識別子が更新されるのは利点である。これは、サーバ構成を変更するという観点からすれば、ネットワーク運用者やサービスプロバイダを可能性のある制限から救済するものであり、通信システムの容易なアップグレーダビリティを保証している。
【００２８】
例えば、端末或いはユーザによる更新がアドレスサーバによって要求されるのには特に利点がある。エラーが発生する場合、端末はそれによって不当なアドレス要素或いはアドレス識別子を夫々修正でき、或いは、そのユーザは、例えば、その端末がより長い時間用いられてこなかった後、現在のデータを要求できる。
【００２９】
最後に、コンピュータプログラムをコンピュータ可読媒体に格納することは、これにより簡単な方法で本発明をテストシステム、シミレーションシステム、或いは端末製造機械のような異なる機器で用いることを可能にするので、有益である。
【００３０】
本発明をこれ以後その実施形態と添付図面とを参照してより詳細に説明する。
次に、本発明を図面と異なる実施形態とによってより詳細に説明する。
【００３１】
図１は、サーバＡＳ１、ＡＳ２、ＡＳ３、ＡＳ４、基地局ＲＢＳ、パケットデータネットワークＰＮ、及びいくつかの通信端末ＭＳを伴う通信システムＫＳを示している。サーバＡＳ１、ＡＳ２、ＡＳ３、ＡＳ４、及び基地局ＲＢＳは夫々がパケットデータネットワークＰＮに接続されている。所謂ＩＰアドレスによってアドレスされるサーバＡＳ１、ＡＳ２、ＡＳ３、ＡＳ４は全て同じデータサービス、例えば、市場価格、ニュース、或いは交通情報を提供している。通信端末ＭＳは夫々、サーバＡＳ１、ＡＳ２、ＡＳ３、ＡＳ４の１つからの前記対応するデータサービスを要求するように適合されている。通信端末ＭＳは前記データサービス要求を、１つ以上のデータパケットにより通信端末に割当てられたサーバＡＳ１、ＡＳ２、ＡＳ３、ＡＳ４の内の１つのサーバアドレスに送信する。その要求されたパケット指向データ通信は基地局ＲＢＳとパケットデータネットワークＰＮとの助けをかりて発生する。本発明に従う通信端末へのサーバアドレスの割当てをこれ以後詳細に説明する。
【００３２】
通信システムは付加的に所謂ドメイン名サーバＤＮＳを含んでおり、それはパケットデータネットワークに接続している。ＤＮＳサーバの備えはオプションであるので、前記サーバは破線で図示されている。例えば、もし、例えば、“news.ericsson.se”というシンボル的なサーバアドレスが、例えば、“192.50.123.15”というＩＰアドレスの代わりに通信端末ＭＳに割当てられるなら、そのドメイン名サーバが必要とされる。サーバのシンボル的なアドレスを分析して対応するサーバＡＳ１、ＡＳ２、ＡＳ３、ＡＳ４へのデータパケット転送に必要とされるそのＩＰアドレスにすることが、ドメイン名サーバに要求することで発生する。前記要求は通信端末或いは基地局ＲＢＳによって実行される。
【００３３】
通信システムは、例えば、汎用パケット無線システムＧＰＲＳ、パケット・パーソナル・デジタル・セルラ・システムＰＰＤＣ、或いは、地球規模移動体通信システムＵＭＴＳでも良い。本発明に従う通信システムの基地局ＲＢＳの数の観点からすれば、制限はない。図１はより良い理解のために１つの基地局ＲＢＳのみを示しているが、例えば、示唆されているシステムは、一般には複数の基地局ＲＢＳを有している。また、図１における４つのサーバＡＳ１、ＡＳ２、ＡＳ３、ＡＳ４の使用は、後で説明するように、サーバによる通信システムの多くの構成可能性の内のただ１つを構成するものである。
【００３４】
提供されるデータサービスに増大する要求がある場合、もし、接続されたサーバの能力限界に達したなら、データサービスプロバイダ或いはネットワーク運用者は１つ以上の付加的なサーバをそのデータサービスのために備え付けることによってボトルネックを解消できる。通信システムのサーバのスケーラビリティを保証するために、アドレス空間、或いは言い換えると、数多くのサーバアドレスがデータサービスを提供するそのシステムのサーバのために予約される。前記アドレスはシステムの更新された構成において備え付けられたサーバに夫々分配される。このことは、そのデータサービスを提供するサーバが、現在のサーバ構成とは独立なアドレス空間の各アドレスでアドレスされることを意味している。このことは、１つのサーバがいくつかのＩＰアドレスをもっても良いので可能である。しかしながら、アドレッシングの明瞭さを保証するために、１つのＩＰアドレスはいくつかのサーバに対して用いられるべきではない。
【００３５】
図２は一例として異なるサーバ構成を示しており、夫々の場合において、サーバへのサーバアドレスの認容される分配が夫々の構成において存在する。パラメータｍはデータサービスを提供するサーバの数を示している。その数ｍは各構成に依存している。パラメータｎは異なるアドレス識別子の数を示している。或いは言い換えると、異なるサーバアドレスは前記データサービスのサーバのために予約されている。示された例において、２５６個の異なるアドレス識別子はデータサービスを提供するサーバのために予約されている。示された例におけるアドレス識別子は完全なＩＰアドレスである。パラメータｋはアドレス要素のセットを示しており、独立に或いはサーバの各構成から、サーバアドレスが選択され、それは通信端末によってデータサービスを要求するのに必要とされる。示されている例において、予約された異なるアドレス識別子夫々はそのセットに一度含まれ、その結果ｋ＝ｎとなる。それ故に、セットｋは２５６個の異なるＩＰアドレスを含み、即ち、アドレス空間は192.0.1.0から192.0.1.255となる。
【００３６】
図２に従えば、データサービスのための通信システムにおける１つのサーバＡＳ１、即ち、ｍ＝１が最初の構成Ｋ１において備えられている。前記サーバには全ての予約されたＩＰアドレスによって、即ち、192.0.1.0から192.0.1.255の全てのアドレスによって到達できる。第２の構成Ｋ２において、２つのサーバＡＳ１とＡＳ２とはデータサービスを提供し、即ち、ｍ＝２である。存在する２５６個の異なるＩＰアドレスが今や２つのサーバＡＳ１、ＡＳ２とに分配される。ＡＳ１は192.0.1.0から192.0.1.127までのアドレスをもつ一方、ＡＳ２は192.0.1.128から192.0.1.255までのアドレスをもつ。
【００３７】
その予約されたアドレスはその示された代表的な例では存在するサーバに同じ割合で分配されるが、構成に存在するサーバへのＩＰアドレスの分配は一般的には任意である。サーバに達することについて、単にＩＰアドレスをもっていることが保証されねばならない。用いられるサーバの数が利用可能なサーバアドレスの数よりも小さい限り、即ち、ｍ＜ｎである限り、データサービスプロバイダやネットワーク運用者は各サーバの処理能力によってＩＰアドレスの分配を適応させ、よりパワーのあるサーバが余りパワーのないサーバよりも多くの利用可能なアドレスをもつようにできる。もし、各端末によるデータサービスを要求するサーバアドレスの選択に適切な分配、例えば、等分配が施されていたなら、これによってサーバ能力によって適応された負荷分配が達成される。
【００３８】
現存するサーバに対する予約されたアドレス識別子の不均等な分配の可能性が、４つのサーバＡＳ１、ＡＳ２、ＡＳ３、ＡＳ４をもった構成例Ｋ３、即ち、ｍ＝４によって示されている。２５６個のＩＰアドレスがＫ２では等しい割合でＡＳ１とＡＳ２のサーバ両方に分配されているが、Ｋ３ではサーバＡＳ１は２５６個の予約された利用可能なアドレスの内、６４個、即ち、192.0.1.0から192.0.1.63までをもっており、サーバＡＳ２は192.0.1.64から192.0.1.127までの６４個のアドレスが利用可能であり、サーバＡＳ３では192.0.1.128から192.0.1.200までの７３個のアドレスが利用可能であり、サーバＡＳ４では192.0.1.201から192.0.1.255までの５５個が利用可能である。そのシステムの通信端末に割当てられたサーバアドレスの等分配があると仮定し、そして、データサービスに対する複数のユーザによる同じような要求があると仮定するなら、それにより、サーバＡＳ３は２５６ケースの内７３個の要求があるであろうし、サーバＡ４は２５６ケースの内、わずか５５個のデータサービス要求を受信するに過ぎないであろう。
【００３９】
構成Ｋ４は示された例について最大の拡張ステップを示している。この場合、２５６個のサーバＡＳ１〜ＡＳｎが通信システムでは用いられ、即ち、ｍ＝２５６である。各サーバはまさしく１つのＩＰアドレスをもち、即ち、ＡＳ１は192.0.1.0をもち、ＡＳ２は192.0.1.1をもち、最大でＡＳｎは192.0.1.255をもつ。その最大限の構成は予約された異なるＩＰアドレスの数ｎに依存する。
【００４０】
図３はサーバアドレスを通信機器に割当てる手順を示している。通信機器は、移動電話、カードを基本とした通信端末の所謂ＳＩＭカードのような通信端末でもよい。その割当ては、例えば、実行されるが、言い換えると、通信システムにおいてその通信端末がログオンするときに開始されても良い（３００）が、いずれの場合でもデータサービス要求に先立っているか、或いは、通信端末或いはＳＩＭカードの製造中のことである。
【００４１】
その割当てのため、アドレス識別子がｋ個のアドレス要素Ａのセットから選択され（３１０）、次のステップで通信機器に格納される（３３０）。例えば、その選択はランダムな関数により、或いはネットワーク運用者やサービスプロバイダによって予め規程された選択規則に従って行なう。適切なランダムな関数は当業者には公知である。選択規則の例は、通信端末或いはＳＩＭカードの製造中における数多くの項目に基づいた選択である。これに関して、例えば、ｋ個のアドレス要素の第１のセットの要素は最初の１０００個の製造ユニットに対して選択され、第２のアドレス要素は次の１０００個のユニットなどに対するものである。例えば、選択アドレス識別子の格納は製造中に、通信端末のＲＯＭ或いはＳＩＭカード上の読み出し専用記憶としてなされるものである。別の可能性はその端末やＳＩＭカードのランダムアクセスメモリ、所謂ＲＡＭへのバッファリングの形でなされる格納である。アドレス識別子の選択はユーザにとってはトランスペアレントに発生し、あるいは言い換えると、通信端末機器のユーザには通知されない。
【００４２】
アドレス識別子が選択されるセットのｋ個のアドレス要素は、本発明に従う実施形態ではＩＰアドレスである。知られているＩＰアドレス構造は３２ビットのＩＰｖ４アドレス構造である。そのようなＩＰアドレスは４つのオクテットを有し、夫々が負の値にはならない整数を形成している。各オクテットは小数点によって他のオクテットから区切られている（例えば、１９３．１５４．１８０．２３０）。ＩＰｖ４フォーマットでは異なるアドレスクラスがある。クラスＡのアドレスはその第１のオクテットにネットワーク識別子を含み、残りの３つのオクテットにはホスト識別子を含み、最大で２24個のホストがクラスＡのアドレスによってアドレスされる。クラスＢのアドレスは最初の２つのオクテットでネットワーク識別子を占め、さらに２番目の２つのオクテットでホスト識別子を占め、その結果、約６４０００のホストが区別される。最後に、クラスＣのアドレスは最初の３つのオクテットがネットワークを識別し、もう１つのオクテットがホストを識別する。それ故に、１つのクラスＣネットワークは２５６個のホストアドレスをもつことができる。別のフォーマットを用いるのは、当業者には知られた所謂サブネットワークを使用することの結果である。さらにその上、ＩＰｖ６アドレスのような他のＩＰアドレス構造を用いることもできる。
【００４３】
また、ＩＰアドレスの代わりに所謂シンボル的なアドレス（例えば、“www.ericsson.se”）を使用することもサーバアドレスを選択するのに可能である。それから、アドレス識別子は英数字の平易なテキストに存在する。そのシンボル的なアドレスは対応するサーバをアドレスし、そのサーバのデータサービスを要求するＤＮＳサーバ要求によって分解される。
【００４４】
その上、そのアドレス要素は不完全なサーバアドレスを表現できる。従って、通信機器に割当てられた選択アドレスは、この場合には不完全なのであるが、例えば、ＩＰアドレスのネットワーク運用者やシンボル的なアドレスの一部でも良い。データサービスを要求することについて、前記不完全なアドレスは補足され、或いはＤＮＳサーバ要求により夫々が分析されて完全なアドレスを形成する。この目的のため、不完全なアドレスがＤＮＳサーバに送信され、例えば、そのサーバがサーバの現在の負荷状態に依存してそれを補足し返却する。
【００４５】
アドレス識別子が選択されるｋ個のアドレス要素のセットは同一のアドレス要素を何度も含むことができ、その結果、ｋの値はｎよりも大きい、即ち、異なる予約されたアドレス識別子の数よりも大きい。従って、ｋ個のアドレス要素の予め指定されたセットでの選択に関して、例えば、ネットワーク運用者やデータサービスプロバイダによって、ｎ個のアドレス識別子の重み付けが実行される。もし、例えば、全体として通信システムの通信端末のアドレス要素の選択に等分配が施されるなら、何度も発生するアドレス識別子は一度しかそのセットに含まれないアドレス識別子よりも大きな重み付けがなされる。言い換えると、用いられる選択方法に依存して、アドレス要素のセットに何度も存在するアドレス識別子は一度しか存在しないアドレス識別子と比べてより頻繁に選択される。ｋ個のアドレス要素のセットの対応する前もった規定により、それ故に、通信システムのサーバの負荷分散に影響を及ぼすことができる。
【００４６】
図４はサーバアドレスを通信機器に割当てる本発明の別の実施形態を示している。その手順の開始（４００）の後、第２のアドレス識別子はメモリＢ、例えば、ＲＯＭから読み出される（４１０）。前記第２のアドレス識別子は、例えば、ネットワーク運用者やデータサービスプロバイダによって予め規程される。その後、第１のアドレス識別子が、例えば、通信端末機器のメモリに存在するｋ個のアドレス要素Ａのセットから選択される（４３０）。第１と第２のアドレス識別子がそれから結合される（４５０）。その結合されたアドレス識別子は選択されたアドレス識別子を形成し、サーバアドレスを識別する。それは通信機器に格納される（４６０）。
【００４７】
第２のアドレス識別子は、例えば、ＩＰｖ４アドレス、例えば、“192.0.1.”のネットワーク識別子でも良い。データサービスを提供する通信システムの全てのサーバはそのように指示されたネットワークに属している。ｋ個のアドレス要素のセットは数多くのホスト識別子、即ち、ｋ：｛“０”，“１”，……，“２５５”｝を含み、これによってサーバが前記ネットワークの中で識別される。第１のアドレス識別子が、このセットから、例えば、ランダムな関数により、例えば“１５”によって選択される。その結合されたアドレス識別子は格納され、選択アドレス識別子を形成する。その示された例において、これは“192.0.1.”＋“１５”＝“192.0.1.15”という結果となる。
【００４８】
別の例は、シンボル的なアドレスの割当てである。ｋ個のアドレス要素のセットは、シンボル的なサーバアドレスの変数部を含んでおり、例えば、ｋ：｛“news1”，“news2”，“more-news”，“hot-news”｝であり、そこから、第１のアドレス識別子、例えば“hot-news”が選択される。そのシンボル的なサーバアドレスの固定部、例えば“.ericsson.se”がメモリから読み出され、第２のアドレス識別子を形成する。シンボル的なサーバアドレスの変数部と固定部とは結合される。その例では、これは“hot-news”＋“.ericsson.se”＝“hot-news.ericsson.se”という結果になる。従って、２つの部分がいっしょになって選択されたアドレス識別子を形成し、そのようなものとして格納される。
【００４９】
（不図示であるが）本発明の別の実施形態は更新に関したものであり、言い換えると、サーバアドレスを選択するのに用いられる通信機器に格納されるデータの変形に関するものである。その更新は、各データの受信と通信機器へのその対応するデータの格納、言い換えると、前記データを変更或いは補足することによって行なうのが好ましい。その更新は、例えば、通信システムのアドレスサーバＤＮＳによって要求される。それは、数ある中で、エラーの発生時に実行されても良い。言い換えると、もし、既に選択されたサーバアドレスによるデータサービス要求がうまくいかないなら、それはネットワーク運用者やデータサービスプロバイダによって、或いは、ユーザによる要求時に、例えば、端末に対応した占有キーを押下して変更要求を入力することにより実行される。また、例えば、規則的な時間間隔で自動変更が実行されても良い。随意的には、通信機器へのサーバアドレスの割当ては通信機器に存在するデータの各更新後に直接的に実行されても良い。
【００５０】
変更は、例えば、通信システムの空中インタフェースを介して所謂ショートメッセージサービス（ＳＭＳ）の助けをかりて、所謂ＭＡＰ（移動通信応用部）メッセージの使用や或いは専用のプロトコルを用いることにより行なうことができる。
【００５１】
ｋ個のアドレス要素のセットからの１つのアドレス要素或いはいくつかのアドレス要素が更新され、そこから第１のアドレス識別子或いは全セットが選択される。もしサーバアドレスが変数アドレス部と固定アドレス部とを用いて選択されるなら、格納される第２のアドレス識別子、即ち、固定アドレス部が代替的に或いは付加的に変更されても良い。これにより、例えば、通信システムのサーバのネットワークを更新することにより、言い換えると固定アドレス部として格納されたネットワーク識別子を変更することにより、全てのホスト識別子を保持しながらサーバの効率的な再構成が可能になる。
【００５２】
本発明の別の実施形態は、サーバアドレスを割当てるために通信機器に格納された識別子を用いることである。これは、例えば、個々の通信機器で実行中の登録番号でも良い。別の可能性は、所謂ＭＳＩＮ（移動加入者識別番号）の使用である。ＭＳＩＮは所謂ＩＭＳＩ（国際移動電話加入者番号）の一部であり、それはＩＴＵ−Ｔの推奨Ｅ．２１２により標準化されており、それは移動サービスシステムの端末やＳＩＭカードにはたいてい含まれているものである。ＭＳＩＮは、例えば、日本においては、６個の数字の値であり、移動サービスシステムにおける通信端末の正確な識別に役立っている。
【００５３】
図５はＭＳＩＮを用いたサーバアドレス割当ての可能性のある手順を示している。その手順の開始（５００）後、第２のアドレス識別子、例えば、“192.0.1.”がメモリＦから読み出される（５１０）。メモリＣに格納され、通信システムにおけるサーバをアドレスするアドレス要素の数ｋ、例えば、“２５６”が別のメモリＥから読み出される（５３０）。次に、ＭＳＩＮ、例えば、“１２３４５６”がメモリＤから読み出される（５５０）。その後、第１のアドレス識別子がｋ個のアドレス要素の格納されたセットから選択される。
【００５４】
メモリＣにおいて、そのセットの各アドレス要素の位置が連続する数によって正確に決定される。第１のアドレス要素、例えば、“２５５”は位置を表す数“０”をもっており、最後のアドレス要素、例えば、“０”は数ｋより１つだけ少ない位置を表す数、例えば、“２５５”をもっている。第１のアドレス識別子の選択は、ＭＳＩＮをそのセットのアドレス要素の数ｋで割り算した剰余を計算することにより、言い換えると、ＭＳＩＮ  ｍｏｄ  ｋを計算することによりなされる。例えば、１２３４５６ｍｏｄ２５５＝３６である。この計算の結果は、アドレス要素の位置を表す数を提供しており、そのとき、前記位置を表す数によってメモリＣから読み出される。例えば、位置“３６”から、“２１９”が読み出される。その後、第１と第２のアドレス識別子が結合され（５８０）、例えば、“192.0.1.”＋“219”＝“192.0.1.219”であり、これが通信機器に選択アドレス識別子として格納され（５９０）、従って、そこで割当てがされる。
【００５５】
特別な実施形態では、数がｋ個のアドレス要素のメモリＥはｋ個のアドレス要素のセットの位置の最大の位置を示す数を格納しているメモリに対応している。この場合、メモリＣはメモリＥを含むことになる。その位置を示す最大数（図５では“２５５”）を読み出すとき、値“１”が読み出された値に加算されて、ｋについての正しい値（“２５６”）を得る。
【００５６】
ｋ＝ｎの場合における別の代替案は、モジュロ計算による第１のアドレス識別子の直接選択である。ｋ個のアドレス要素の数はこれによってメモリＥに格納される。前記アドレス要素は予約されたアドレス識別子に対応しており、“０”から“ｎ−１”までの整数の要素をもつセットを形成する。ステップ５７０では、第１のアドレス識別子がＭＳＩＮ  ｍｏｄ  ｋの計算によって直接的に選択される。例えば、ｋ＝ｎ＝２５６かつＭＳＩＮ＝１２３４５６であれば、結果は第１の識別子については“３６”の値を得る。ｋ個のアドレス要素のセットについてのメモリＣはこの場合には必要ではない。
【００５７】
図６はデータサービスを提供するサーバのアドレスが割当てられる通信機器ＭＳを示している。その通信機器ＭＳは、ｋ＞１であるｋ個のアドレス要素のセットのためのメモリＳＶＡを有している。そのセットは１＜ｎ≦ｋであるｎ個の異なるアドレス識別子を含んでいる。前記識別子各々は通信システムの中の０＜ｍ≦ｎであるｍ個のサーバからサーバを識別する。通信機器ＭＳはさらにその上、ｋ個のアドレス要素からなるセットから第１のアドレス識別子を選択する選択ユニットＡＷＥとともに、選択されたアドレス識別子のためのメモリＳＡＡとを有している。メモリＳＶＡとＳＡＡの両方は選択ユニットＡＷＥに結合されている。その通信機器は、例えば、ＧＰＲＳ、ＰＰＤＣ、ＥＤＧＥ、或いはＵＭＴＳシステムの移動電話でも良いし、或いは、例えばそのような通信システムの端末用の所謂ＳＩＭカードでも良い。
【００５８】
本発明の特定の実施形態において、第１のアドレス識別子の選択はランダム関数の助けをかりて選択ユニットによって行なう。この目的のために、その選択ユニットは、例えば、通信機器或いは通信システムの内部パラメータ、例えば、システム時刻へのインタフェース（この図では不図示）が備えられて１つ以上のランダムな変数を得ることができる。
【００５９】
図７は本発明の別の実施形態を示している。通信機器ＭＳは、図６から既に知られた要素に加えて、第２のアドレス識別子ＳＦＡのためのメモリと、そのメモリから第２のアドレス識別子を読み出すことができる読み出しユニットＡＬＥと、そして第１と第２のアドレス識別とを結合できる結合ユニットＫＥとを有している。それから、結合ユニットＫＥによって結合されるアドレス識別子は通信システムのサーバの選択されたアドレス識別子を形成する。
【００６０】
このため、読み出しユニットＡＬＥはメモリＳＦＡと結合ユニットＫＥとに結合される。その結合ユニットＫＥはさらに選択ユニットＡＷＥとメモリＳＡＡとに結合され、その選択ユニットＡＷＥはさらにメモリＳＶＡに結合される。
【００６１】
本発明の描写された実施形態において、メモリＳＦＡは、サーバアドレスの固定アドレス部を、通信システムのｍ個のサーバ全てに対して正当な第２のアドレス識別子として含んでいる。メモリＳＶＡはサーバアドレスの変数アドレス部を含んでいる。その変数は夫々が、そのシステムのｍ個のサーバの内の１つを識別する。選択ユニットＡＷＥはメモリＳＶＡから第１のアドレス識別子を選択することができる。メモリＳＡＡは第１と第２のアドレス識別子から結合ユニットＫＥによって結合されるアドレス識別子を格納するが、そのアドレス識別子は固定アドレス部と変数アドレス部とから成り立っており、選択されたアドレス識別子を形成する。
【００６２】
通信機器ＭＳの本発明の実施形態に従う付加的な実施形態を（図を用いないで）次に説明する。
【００６３】
通信機器ＭＳはさらに、例えば、登録番号ＩＭＳＩやＭＳＩＮのような数値の通信機器識別子用のメモリとともに、前記通信機器識別子用の読み出しユニットとを有していても良い。選択ユニットＡＷＥはモジュロ計算によって第１のアドレス識別子の選択を実行できる。
【００６４】
さらにその上、通信機器ＭＳには、例えば、通信システムの空中インタフェースを介して、ｋ個のアドレス要素のセットの内の更新されたアドレス要素を受信する受信機器が備えられていても良い。格納機器は対応する更新データの格納を請け負う。また、第２のアドレス識別子の更新は付加的な受信及び格納機器によって代わりに或いは付加的に行なうこともできる。
【００６５】
他の実施形態において、データを更新する要求は通信機器の要求機器によって実行される。例えば、エラー検出時或いは規則正しい時間間隔で前記要求機器は対応する更新要求を送信することにより、通信システムのアドレスサーバＤＮＳの更新を要求することができる。
【００６６】
最後に、通信機器には付加的に、例えば、キーや音声入力機器などのユーザインタフェースが備えられ、それらを用いてユーザは、例えば、キーを押したり音声による命令によるなどした１つのユーザ動作によってデータサービス要求を入力するようにしても良い。さらにその上、データサービス要求機器が備えられ、その機器上で通信ネットワークのサーバへの要求メッセージにより対応するデータサービスを要求する。その要求メッセージは通信機器に格納され選択されたサーバのアドレス識別子によってアドレスされる。
【００６７】
図１に描写した要素の他に、本発明に従う通信システムにはさらに、対応する端末に格納されたサーバアドレスデータを更新するためのアドレスサーバが備えられていても良い。言い換えると、そのアドレスサーバは更新されたアドレスデータを提供し、例えば、端末からの要求時、或いは、ネットワーク運用者或いはデータサービスプロバイダによる前もった規定に従って、これらを要求された或いは前もって規定された端末に送信する。加えて、アドレスサーバはまた、ＤＮＳサーバのタスクを引き継いでも良い。
【００６８】
本発明の付加的な実施形態はコンピュータプログラムに関する。本発明によって定義されるような“コンピュータプログラム”という用語は明白に“コンピュータプログラム製品”を含むものである。そのコンピュータプログラムはデジタルコンピュータユニット、特に、移動電話の内部メモリにロードされる。そのプログラムは、もし、そのコンピュータプログラムがコンピュータユニットにおいて実行されるなら、本発明に従う上述の方法を実行するために適合されるソフトウェアコード部を有している。
【００６９】
特に、前記コンピュータプログラムは、例えば、ディスク、ＣＤ−ＲＯＭ、或いは光学ディスクのようなコンピュータ可読媒体上に格納される。
【図面の簡単な説明】
【図１】  通信端末によってデータサービス要求を可能にする通信システムを図示している。
【図２】  通信システムの割当てられたサーバアドレスをもった異なるサーバ構成を示している。
【図３】  サーバのアドレス識別子の代表的な選択のフローチャートを示している。
【図４】  サーバのアドレス識別子の選択の別の例のフローチャートを示している。
【図５】  サーバのアドレス識別子の選択の別の例のフローチャートを示している。
【図６】  サーバアドレスの割当てを可能にする通信機器のブロック図を単純化して図示したものである。
【図７】  サーバアドレスの割当てを可能にする通信機器の別のブロック図を単純化して図示したものである。
【図１】
0004652653.tif 000002
【図２】
0004652653.tif 000003
【図３】
0004652653.tif 000004
【図４】
0004652653.tif 000005
【図５】
0004652653.tif 000006
【図６】
0004652653.tif 000007
【図７】
0004652653.tif 000008